Podtech/llm-jp-corpus-v4-ja_patent huggingface dataset:
(57)【要約】      （修正有）【課題】湯を注ぐだけで、安定した速度で滴り落とし美味しいドリップコーヒーを入れる事の出来るドリップポットを提供する。【解決手段】ドリップポット本体１の側面に台座２を設け、ドリップポット本体１の下部を狭め、底部に棒状の物７を通した穴６を設け、穴６を注ぎ口とした事を特徴としたドリップポット。【選択図】図１
2011056213.tif 000002
【特許請求の範囲】
【請求項１】
台座を設けた事を特徴とするドリップポット。
【請求項２】
下部を狭め、底部に棒状の物を通した穴を設け、注ぎ口とした事を特徴とする請求項１記載のドリップポット。
【発明の詳細な説明】
【技術分野】
【０００１】本発明はコーヒードリッパーの上にかさねるのに必要十分な台座を設け、更にポット下部を狭め、棒状の物を通した穴を設けたドリップポットに関するものである。
【技術背景】
【０００２】従来、ドリップポットは必要十分な湯を貯める本体部と、取っ手部、注ぎ口、ふたで構成された物と、円筒形で、底部に数十の穴のあいたシャワーポットがあった。
【先行技術文献】
【０００３】
【特許文献１】特許公開２００５−２９６５９８号
【発明の概要】
【発明が解決しようとする課題】
【０００４】そのために、次のような問題点があった。
（イ）本体部、取っ手部、注ぎ口、ふたで構成されたものでは、取って部をもち、本体を傾け、注ぎ口より注ぐが、一定量を一定時間に注ぐのには高い技術が必要である。
（ロ）円筒型の底部にある数十の穴のあいたシャワーポットに於いては、シャワーポットと呼ばれるドリップポットにあたる物を単独で使用する物ではなく、フタ、シャワーポット、ドリッパー、ポットで構成されておりさらに表面張力により数十の穴に湯が残る。
【課題を解決するための手段】
【０００５】（イ）ドリップポット本体外側に、ドリッパーに重ねるのに必要十分な台座を設ける。
（ロ）ドリップポット底部を従来のドリッパーの形状同様に狭め、穴を設ける、その穴に棒状のものを通し注ぎ口とした。
【発明の効果】
【０００６】（イ）台座を設けた事と下部を狭めた事で既存のドリッパーに重ねて使用できる。穴をあけ、棒状の物を通した事で、開口部から目盛に合わせて湯を注ぐだけで、抽出に適した時間で滴り落として注ぐ事が出来る。
（ロ）下部を狭めて穴の数を減らし、更に棒状の物を通した事で表面張力の影響を小さくすることが出来る。又棒状の物の先端とコーヒー粉の距離が近くなる事と、滴り落とす事が出来る事で、静かに適量をコーヒー粉に注ぐ事が出来る。
（ハ）おおむね１００度の湯を使用しても放熱やポット等に熱を奪われ、最適とされる９５度前後で抽出できるので、湯温の管理が簡単である。
（ニ）従来のドリップポットで入れるハンドドリップ法より極めて簡単であり、ドリップバック式でもおいしさの科学は同様なので、おいしく入れるにはハンドドリップ法と同様の技術が必要である。
【図面の簡単な説明】
【０００７】
【図１】本発明の斜視図
【図２】本発明の一部を切り欠いた側面図
【図３】本発明の低面図
【発明を実施するための形態】
【０００８】以下、本発明の実施の形態について説明する。
（イ）ドリップポット本体（１）の側面に台座（２）を設ける。
（ロ）ドリップポット本体（１）の下部を狭め底部に穴（６）を設け、穴を通り抜けないように上下が穴より大きい棒状の物を通す。
（ハ）ドリップポット本体（１）の内側に目盛（５）を設ける。
（ニ）ドリップポット本体（１）の側面上部に取っ手（４）を設け、取っ手の機能と共に、取っ手を目印にしてドリッパーの形状の合わせられる様にする。
（ホ）本発明は必要に応じて、フタを設ける事が出来る、フタは単独型でも、ポット本体と一体型でも良い。
（ヘ）本発明単独の物の他、専用のドリッパー、デカンター、又はカップと組み合わせる事が出来る。
【符号の説明】
【０００９】    １ドリップポット本体
２台座
３開口部
４取っ手
５目盛
６穴
７棒状の物
【図１】
2011056213.tif 000003
【図２】
2011056213.tif 000004
【図３】
2011056213.tif 000005
(57)【要約】【課題】  身体トレーニングに際し、重りを利用することで高い効果を得ること。【解決手段】  内側に軟質ウレタンフォームを配した、少なくとも三つのポケットを有するトレーニングウェアを、ポケットに重りプレートを入れて着用し、身体トレーニングするに際し、軟質ウレタンフォームの働きで荷重を分散し、身体を保護し、高いトレーニング効果を得る。【選択図】図２
2011056214.tif 000002
【特許請求の範囲】
【請求項１】
比較的強靭な繊維を素材とする、少なくとも三つのポケットを有する上衣の内側肩部に、軟質ウレタンフォームを配し、ポケットに荷重となる重りプレートなどを入れて着用して身体トレーニングをした場合に、軟質ウレタンフォームの働きで、肩にかかる荷重を肩全体に均等に分散することを特徴とする、重りと軟質ウレタンフォームを利用した、荷重を変えることのできるトレーニングウェア。
【請求項２】
請求項１記載の、比較的強靭な繊維を素材とする、少なくとも三つのポケットを有する上衣の内側肩部に、軟質ウレタンフォームを配するに加え、内側胸部、内側腹部、内側背部、内側胸側部、内側腹側部にも軟質ウレタンフォームを配することで、着用時の身体保護機能とフィット感を増すことを特徴とする、請求項１記載の、重りと軟質ウレタンフォームを利用した、荷重を変えることのできるトレーニングウェア。
【請求項３】
請求項１記載の、比較的強靭な繊維を素材とする、少なくとも三つのポケットを有する上衣の内側肩部に、軟質ウレタンフォームを配するに際し、軟質ウレタンフォームに複数の微小な穴を設けることで、肩部の通気性を良くすることを特徴とする、請求項１記載の、重りと軟質ウレタンフォームを利用した、荷重を変えることのできるトレーニングウェア。
【請求項４】
請求項２記載の、比較的強靭な繊維を素材とする、少なくとも三つのポケットを有する上衣の内側肩部に、軟質ウレタンフォームを配するに加え、内側胸部、内側腹部、内側背部、内側胸側部、内側腹側部にも軟質ウレタンフォームを配するに際し、軟質ウレタンフォームに複数の微小な穴を設けることで、通気性を良くすることを特徴とする、請求項２記載の、重りと軟質ウレタンフォームを利用した、荷重を変えることのできるトレーニングウェア。
【発明の詳細な説明】
【技術分野】
【０００１】  本発明は、軟質ウレタンフォームと重りを利用したトレーニングウェアに関する。
【背景技術】
【０００２】  近年、軟質ウレタンフォームである低反発弾性フォームは、いわゆる低反発枕や低反発マットレスなどの素材として利用され、その利点は広く世間に認識されつつあり、その利用分野を広げる様々な工夫が大切である。【０００３】  また、身体のトレーニングに際して、素材生地を工夫したトレーニング用衣料品や、金属などの重量物を利用した機械や器具が広く利用されている。【０００４】  例えば、伸縮性のある素材生地を利用することで、筋力強化を必要とする筋肉を重点的にトレーニングする効果があるトレーニングウェアが発明されている（特許文献１）。【０００５】  また、靴底内部を網目状に仕切った空間に粒状の金属を配することで重量を増し、トレーニング効果を高めるトレーニング用シューズが発明されている（特許文献２）。
【先行技術文献】
【特許文献】
【０００６】
【特許文献１】  特許公開第２００６−１２２０８８号広報
【特許文献２】  特許公開第１９９７−３０８５０４号広報
【発明の概要】
【発明が解決しようとする課題】
【０００７】  特許文献１の発明になるトレーニングウェアは効果的であるが、本発明になるトレーニングウェアは、違う方法で効果を高める。【０００８】  また、特許文献２の発明になるトレーニング用シューズは効果的であるが、本発明になるトレーニングウェアと併用すれば、更に高い効果が得られる。【０００９】  重りを利用することで、確実なトレーニング効果を得ることが、本発明の目的である。
【課題を解決するための手段】
【００１０】  必要に応じて通気用の穴を開けた軟質ウレタンフォームを裁断し、上衣の形に縫製または接着または溶着する。【００１１】  肩に当る部分周辺の軟質ウレタンフォームを二重にするか、厚みを増す。【００１２】  上衣の形に形成した軟質ウレタンフォームの外側表面を、少なくとも三つのポケット（１）を配した強度の高い繊維素材（３）で覆う。【００１３】  身体へのフィット感と着心地を良くするため、上衣の形に形成した軟質ウレタンフォームの内側表面を滑らかな繊維素材で覆う。【００１４】  ポケット（１）に重りとなる金属板などを入れることで全体の重さが増し、着用してトレーニングした場合の効果を高める。
【図面の簡単な説明】
【００１５】
【図１】は、上衣の形に形成した軟質ウレタンフォームの斜視概略図である。
【図２】（ａ）、（ｂ）はそれぞれ、本発明になるトレーニングウェアの斜視概略図である。
【図３】は、本発明になるトレーニングウェアを横から見た断面図である。
【発明を実施するための形態】
【００１６】  本発明になるトレーニングウェアは、軟質ウレタンフォームの性質や厚みや形、外側に配するポケットの大きさと個数などにより多様に形成できるが、その実施の形態について、図面に示す実施例に基づいて具体的に説明する。
【実施例】
【００１７】［図１］において、使用する軟質ウレタンフォームの性質を考慮して、必要に応じて通気用の複数の穴を設けることもできる。
［図２］において、例えば二つの背面部ポケットのそれぞれに１キログラムの重りプレートを入れ、四つの前面部ポケットのそれぞれに５００グラムの重りプレートを入れることで、前面部と背面部の重量バランスがとれる。
［図３］において、肩部の軟質ウレタンフォームは、厚みを増してある。【００１８】  本発明になるトレーニングウェアを着用してトレーニングすることで、胸から下の各部筋肉が広範に鍛えられる。
【産業上の利用可能性】
【００１９】  高い効果を期待できるトレーニングウェアを提供することで、スポーツ用品産業の発展に資するとともに、近年、重い荷物を持たなくなった人々の足腰を鍛え、健康増進に資することができる。
【符号の説明】
【００２０】１・・・・・・・ポケット
２・・・・・・・軟質ウレタンフォーム
３・・・・・・・繊維素材
【図１】
2011056214.tif 000003
【図２】
2011056214.tif 000004
【図３】
2011056214.tif 000005
(57)【要約】【課題】  従来の鉄パイプによるＸ型組み立て椅子に対し、プレスした軽金属板によるＭ型の軽量化した組み立て椅子を提供する。【解決手段】  プレスした軽金属板（１）を２枚回動自在に組み合わせ、座板（２）および金属支柱（３）によってＭ型とし、軽金属板（１）の回動部と金属支柱（３）下部を、ヒンジを有する金属支柱保持片（４）にて係着した組み立て椅子の構成を特徴とする。【選択図】図１
2011056217.tif 000002
【特許請求の範囲】
【請求項１】
プレス加工した軽金属板（１）を２枚Ｖ字状かつ回動自在に組み合わせ、これに座板（２）を架設し、この座板（２）の両端に金属支柱（３）を取り付け、軽金属板（１）の回動部並びに金属支柱（３）の下部をヒンジを有する金属支柱保持片（４）にて係着し、折り畳み可能の構造としたことを特徴とするＭ型組み立て椅子。
【請求項２】
座板（２）の片側あるいは両側を延長し、ポケット（５）を設けたことを特徴とする請求項１記載のＭ型組み立て椅子。
【発明の詳細な説明】
【技術分野】
【０００１】  この発明は、プレス加工した軽金属板を２枚Ｖ字状かつ回動自在に組み合わせ、この上部に座板を架設し、座板両端部に金属支柱を設け、軽金属板の回動部および金属支柱下部をヒンジを有する金属支柱保持片にて係着し、組み立て椅子になる構造としたものである。
【背景技術】
【０００２】  従来の組み立て椅子は、金属パイプをＸ状に組み、その上部に座板を設けた構造をしている。しかも外見が小さく見える割には重量がある。
【発明の開示】
【発明が解決しようとする課題】
【０００３】  従来のＸ型構造の組み立て椅子が見た目より重いのは、金属パイプが鉄を素材としているからである。本発明はこの欠点を無くすために、素材と構造を全く異なるものにしたものである。
【課題を解決するための手段】
【０００４】  上記欠点を解決するために本発明は、構造主材をプレスした軽金属板（１）とし、これを２枚用いて下部を回動自在にＶ字状に組み合わせ、上部に座板（２）を架設して、三角形状とし、座板（２）の両側部には椅子本体の自立をはかるための金属支柱（３）にヒンジを有した金属支柱保持片（４）を設けて折り畳み可能にし、側部にポケットを設けたものである。
【発明の効果】
【０００５】  本発明のＭ型組み立て椅子は、軽金属板（１）、座板（２）という軽材質によって構成され、力学的にも強い三角形状をなし、座者の重量は軽金属板（１）下部の回動自在の接合部に集中するため、軽量かつ強度のある構造となる。
【発明を実施するための最良の形態】
【０００６】  以下、本発明の実施の形態を説明する。プレスした軽金属板（１）を２枚用い、下部を回動自在に組み合わせ、上部に座板（２）を架設して三角形状とする。座板（２）の両側部には金属支柱（３）を設け、全形としてＭ型の形態とする。
軽金属板（１）の回動部と金属支柱（３）下部は、ヒンジを有する金属支柱保持片（４）によって係着し、座板（２）の片側または両側を延長し、ポケット（５）を設けたものである。
【図面の簡単な説明】
【０００７】
【図１】  本発明の斜視図
【図２】  本発明の他の実施例の斜視図
【符号の説明】
【０００８】  １  軽金属板
２  座板
３  金属支柱
４  金属支柱保持片
５  ポケット
【図１】
2011056217.tif 000003
【図２】
2011056217.tif 000004
(57)【要約】【課題】衣類を引き出しや箱に収納する際には畳みじわや取り出しにくさが問題になっている。簡素な構造の本発明の衣類収納具を使用することによって、衣類のしわの発生を抑制し、衣類の収納環境を良くし、出し入れの作業を円滑にする。【解決手段】円筒状のしわ防止帯と、通気性防虫性がある易滑性シートをＵ字型の枠によって結合させた収納補助具を用いて衣類を収納する事によって、手軽に衣類のしわの発生を抑制し、衣類の収納環境を良くし、出し入れの作業を円滑にする。【選択図】図１
2011056215.tif 000002
【特許請求の範囲】
【請求項１】
円筒状の部材と易滑性シートが、片側を開放させたＵ字型の枠で結合されていることを特徴とする衣類収納具。
【請求項２】
前記の易滑性シートは通気性、防虫性があることを特徴としている衣類収納具。
【請求項３】
前記の易滑性シートの下辺の両角は、衣類の保護と使用者の安全のため曲線に裁断されていることを特徴としている衣類収納具。
【請求項４】
前記の易滑性シートの表面には、収納する衣類の方向を示すために上衣の簡易図が描かれている事を特徴とする衣類収納具。
【発明の詳細な説明】
【技術分野】
【０００１】この発明は箱や引き出しなどに衣類を収納する際の収納補助具に関するものである。
【背景技術】
【０００２】従来、衣類を箱や引き出しなどに収納する際には、畳んで重ねていた。
【発明の概要】
【発明が解決しようとする課題】
【０００３】衣類を畳んで収納すると、しわが発生し、着用しようとする時にアイロン等を用いてしわを消す必要があった。【０００４】重ねて収納した場合、下に位置する衣類を取り出す際、衣類と衣類の摩擦によって畳んだ衣類の形状が乱れたり、取り出しが円滑に行えない問題があった。【０００５】本発明は、これらの問題を改善するためになされたものである。
【課題を解決するための手段】
【０００６】本発明は、円筒状の部材と易滑性シートが、片側を開放させたコの字型の枠で結合されていることを特徴としている。【０００７】前記の易滑性シートは通気性、防虫性があることを特徴としている。【０００８】前記の易滑性シートの下辺の両角は、衣類の保護と仕様者の安全のため滑らかな曲線に裁断されていることを特徴としている。【０００９】前記の易滑性シートの表面には、収納する衣類の方向を示すために上衣の簡易図が描かれている事を特徴としている。
【発明の効果】
【００１０】請求項１における器具は、片側が開放されている事によって、衣類を容易に円筒状のしわ防止帯および易滑性シートに通す事ができる。さらに、しわ防止帯に衣類を巻きつけることにより、しわの発生を抑制できる。また器具を装着した衣類を重ねて収納する場合、しわ防止帯付近の衣類の様子が見えやすく、下位に収納された衣類の判別が容易になる。【００１１】請求項２にある通気性、防虫性がある易滑性シートによって、本発明の収納補助具を装着した衣類を重ねて収納した場合に、出し入れの作業を円滑に行うことができ、さらに衣類に良い収納環境を作ることができる。【００１２】請求項３にある易滑性シートの下辺の両角を曲線形に切断することによって、衣類の保護と、安全な使用をすることができる。【００１３】請求項４にある易滑性シートの表面に描かれた上衣の簡易図によって、収納する衣類の方向を容易に理解することができる。
【図面の簡単な説明】
【００１４】
【図１】本発明の衣類収納補助具の斜視図である。
【図２】本発明の衣類収納補助具に衣類を装着した状態を示す斜視図である。
【発明を実施するための形態】
【００１５】本発明の実施形態を図１によって示す。
この衣類収納補助具は、円筒状のしわ防止帯と易滑性シートが、片側を開放させたＵ字型の枠で結合されていることを特徴としている。
【実施例】
【００１６】衣類を、その中央付近で２つ折りにし、折山部分を円筒状のしわ防止帯に通してその他の部分を易滑性シートの上に乗せる。【００１７】衣類を本発明の補助具に装着した状態で重ねれば、易滑性シートの効果によって収納や取り出しの動作を円滑にする事ができる。【００１８】本発明のしわ防止帯の両端部分にフックを付加したものを、任意の高さに設置したフックの受け部に水平に取り付けて複数使用する場合、しわ防止帯付近に巻かれた衣類が並列する事により、収納の状況がより把握しやすくなる。
【産業上の利用可能性】
【００１９】本発明は、新規の衣類収納器具に関する産業に利用が可能である。
【符号の説明】
【００２０】１・・・しわ防止用筒
２・・・易滑性シート
３・・・連結用Ｕ字型枠
４・・・衣類を置く方向を表示する図案
５・・・収納する衣服
【図１】
2011056215.tif 000003
【図２】
2011056215.tif 000004
(57)【要約】【課題】本発明は従来使用されている皮むき器の丸い野菜、果物等にたいして直線的にしか使用出来ず、また構造上使い方に応用が利かない。それらの欠点を解決する目的で提供する。【解決手段】上記の課題を解決する目的で発明したもので、ゆるやかに円弧を描いた円盤（１）のセンター両端に刃体保持部（４）（５）形成し、円盤（１）中心にセンター軸に直角に把手（３）を接合し、刃保持部（４）（５）に刃体（２）を嵌入してなる皮むき器により上記の課題を解決するものである。【選択図】図１
2011056218.tif 000002
【特許請求の範囲】
【請求項１】
ゆるやかに円弧を描いた円盤（１）のセンター軸の両端に刃体保持部（４）（５）形成し、円盤（１）の中心にセンター軸に直角に把手（３）を接合し刃体保持部（４）（５）に刃体（２）を嵌入してなる皮むき器。
【発明の詳細な説明】
【技術分野】
【０００１】本発明は皮むき器として発明した物に関するものである。
【背景技術】
【０００２】従来使用されている皮むき器は野菜、果物等の皮をむく場合皮むき器の刃部を野菜、果物等の皮に当てて、手で引いてむく構造に形成されている。
【先行技術文献】
【特許文献】
【０００３】特開２００６−２４６９６６
【発明の概要】
【発明が解決しようとする課題】
【０００４】そのため次ぎのような問題点があった。
（イ）野菜、果物等の皮をむく場合、皮むき器の刃部を野菜、果物等の皮に当てて手のリードによって直線的に引くため丸い果物、野菜等、ロスがでる事になる。
（ロ）構造上使い方が限られていて、使い方に応用がきかない。
本発明はこの点を解決するためになされたものである。
【課題を解決するための手段】
【０００５】ゆるやかに円弧を描いた円盤（１）のセンター軸の両端に刃体保持部（４）（５）を形成し、円盤（１）の中心にセンター軸に直角に把手（３）を接合し、刃体保持部（４）（５）に刃体（２）を嵌入してなる皮むき器。
【発明の効果】
【０００６】本発明にて野菜、果物等の皮をむく場合は、把手（３）を人差し指と中指で挟んで保持し刃体（２）を野菜、果物等に当てて撫でるように回す事によって従来の皮むき器の直線的に使用するため丸い野菜、果物等、によって出るロスが無い、また縦向きにも横向きにも使用可能であるため使用法が広範囲である。また円盤（１）のエッジにて果物のヘタ取りじゃがいもの芽取りが可能である。
【発明を実施するための最良の形態】
【０００７】本発明は、円盤のセンターを軸にゆるやかに曲げて円盤（１）を形成し、センター軸の両端に刃体保持部（４）（５）を形成し、刃体保持部（４）（５）に刃体（２）を嵌入し、円盤（１）のセンター軸の中心に直角に把手（３）接合した皮むき器。
本発明は以上の構成からなるので本発明を使用するときは、把手（３）を人差し指と中指で挟んで保持し刃体（２）を野菜、果物等に当てて撫でるように回しながら皮をむき、円盤（１）のエッジにて、果物のヘタ、じゃかいも芽取り等も可能である。
【図面の簡単な説明】
【０００８】
【図１】  本発明の斜視図
【図２】  本発明の側面図
【符号の説明】
【０００９】１      円盤
２      刃体
３      把手
４      刃体保持部
５      刃体保持部
【図１】
2011056218.tif 000003
【図２】
2011056218.tif 000004
(57)【要約】      （修正有）【課題】必要目安となる手洗いの時間１５秒の、習慣づけを促すためのハンドソープボトル台の提供。【解決手段】円筒状の受け皿１を設け、その中心部に音の鳴る基盤２、受け皿１の側面の一方にスピーカー３、他方に電池入れ４を設け、それぞれをコード５で基盤２と接続し、受け皿１の上に、下部中央にスイッチ７を設けたボトル置き台６を設ける。ボトル置き台周縁部８は、受け皿１を覆うようにして、水が入るのを防ぎ、ボトル置き台周縁部８の少し内側には、スプリング１２を備えたボトル置き台脚部９を複数箇所設け、受け皿周縁部穴１１に入るようにする。ボトル置き台６の上にハンドソープボトル１３を置いて、ハンドソープボトル１３のポンプをプッシュすることにより１５秒程度のメロディを流す。【選択図】図１
2011056219.tif 000002
【特許請求の範囲】
【請求項１】
円筒状の受け皿を設け、その中心部に音の鳴る基盤を設け、受け皿の側面の一方にスピーカーを設け、他方に電池入れを設け、それぞれをコードで基盤と接続し、受け皿の上にボトル置き台を設け、ボトル置き台の下部中央にスイッチを設け、ボトル置き台周縁部は受け皿を覆うようにして水が入るのを防ぎ、ボトル置き台周縁部の少し内側には、ボトル置き台脚部を複数箇所設け、それと同じ複数箇所、受け皿周縁部に脚部挿入穴を設け、ボトル置き台脚部が、各々、脚部挿入穴に入るようにし、ボトル置き台脚部の長さと脚部挿入穴の深さはだいたい同じにし、ボトル置き台脚部にスプリングをはめこみ、スプリングの径は、脚部挿入穴の径よりも、ひとまわり大きいものにし、ボトル置き台の上にハンドソープボトルを置くことを特徴とするハンドソープボトル台。
【発明の詳細な説明】
【技術分野】
【０００１】本発明は、ハンドソープのボトル台に関するものである。
【背景技術】
【０００２】  従来、ハンドソープボトルは、ポンプをプッシュすると、ただ単に液体石鹸がでてくるという仕組みにすぎなかった。
【発明の概要】
【発明が解決しようとする課題】
【０００３】  新型インフルエンザが猛威を奮っている昨今、絶対に必要なのが、こまめで丁寧な手洗い。厚生労働省では、１回の手洗いにかける時間は、石鹸を使っても、最低１５秒は必要であると公表している。
しかし、ほとんどの人が、手洗いをしても４秒〜５秒程度ですぐに洗い流しているのが実情である。洗い方にもよるだろうが、４秒〜５秒程度の手洗いでは、石鹸を使ったとしても、ウィルスなどのバイ菌はまだまだたくさん残っており、不十分なのだそうだ。
『もしもしカメよカメさんよ…♪』と、口ずさんで手洗いをすると、必要目安となる、１５秒になるから、心がけてやってみるといいと専門家はいう。しかし、実際にカメの歌を口ずさんで洗ってはみても、今まで１５秒も手洗いをする習慣がなかったのもあり、とても長く感じてしまう。そして、口ずさんでやってみるのは最初だけで、そんなこと忘れてしまっていることもしばしば…。
子供の頃から、『歯みがき３分』とはみんな教わってきたが、『手洗い１５秒』というのは、耳にしたことがない人も多く、まだまだ世間には浸透していない。
本発明は、以上の問題点を解決するためになされたものである。
【課題を解決するための手段】
【０００４】  円筒状の受け皿を設け、その中心部に音の鳴る基盤を設ける。受け皿の側面の一方にスピーカーを設け、他方に電池入れを設け、それぞれをコードで基盤と接続する。受け皿の上に、ボトル置き台を設ける。また、ボトル置き台の下部中央にスイッチを設ける。ボトル置き台周縁部は、受け皿を覆うようにして、水が入るのを防ぐ。ボトル置き台周縁部の少し内側には、ボトル置き台脚部を複数箇所設け、それと同じ複数箇所、受け皿周縁部に脚部挿入穴を設ける。ボトル置き台脚部が、各々、脚部挿入穴に入るようにする。ボトル置き台脚部の長さと脚部挿入穴の深さは、だいたい同じにする。ボトル置き台脚部にスプリングをはめこむ。スプリングの径は、脚部挿入穴の径よりも、ひとまわり大きいものにする。ボトル置き台の上にハンドソープボトルを置く。
以上の特徴をもつハンドソープボトル台である。
【発明の効果】
【０００５】  ハンドソープボトルのポンプをプッシュする度に、必要目安とされる、１５秒程度の音楽が鳴れば、自然と音楽が鳴りやむまで、洗おうという気になる。子をもつ親も、『音楽が鳴っている間はしっかり洗いなさいよ』と教えることができ、子供たちにとって、今まで渋々やっていた手洗いも、やがて習慣化につながる。音楽が鳴ることで、楽しく、かつ丁寧に洗うようになり、その結果、風邪やインフルエンザ、その他多くの病気の予防につながる。
【図面の簡単な説明】
【０００６】
【図１】本発明の構造図
【発明を実施するための形態】
【０００７】  以下、本発明の実施の形態を説明する。
（イ）円筒状の受け皿（１）を設け、その中心部に音の鳴る基盤（２）を設ける。
（ロ）受け皿（１）の側面の一方にスピーカー（３）を設け、他方に電池入れ（４）を設け、それぞれをコード（５）で基盤（２）と接続する。
（ハ）受け皿（１）の上にボトル置き台（６）を設ける。また、ボトル置き台（６）の下部中央にスイッチ（７）を設ける。
（ニ）ボトル置き台周縁部（８）は、受け皿（１）を覆うようにして、水が入るのを防ぐ。
ボトル置き台周縁部（８）の少し内側には、ボトル置き台脚部（９）を複数箇所設け、それと同じ複数箇所、受け皿周縁部（１０）に脚部挿入穴（１１）を設ける。ボトル置き台脚部（９）が、各々、脚部挿入穴（１１）に入るようにする。ボトル置き台脚部（９）の長さと、脚部挿入穴（１１）の深さは、だいたい同じにする。ボトル置き台脚部（９）にスプリング（１２）をはめこむ。スプリング（１２）の径は、脚部挿入穴（１１）の径よりも、ひとまわり大きいものにする。
（ホ）ボトル置き台（６）の上にハンドソープボトル（１３）を置く。
本発明は以上のような構造である。
本発明を使用するときは、まず、ハンドソープボトル（１３）のポンプをプッシュする。この時、従来通り液体石鹸がハンドソープボトル（１３）のノズルからでてくるわけだが、同時に、ポンプをプッシュした力がボトル置き台（６）に加わり、ボトル置き台（６）の下部中央に設けたスイッチ（７）が基盤（２）に接触する。その際、ボトル置き台脚部（９）にとりつけたスプリング（１２）は、ボトル置き台（６）、ハンドソープボトル（１３）（液体石鹸満タン状態）の力を支え、ハンドソープボトル（１３）のポンプをプッシュする力が加わったときにスイッチ（７）が基盤（２）に接触するよう、調整して、取り付ける。スイッチ（７）と接触した基盤（２）からコード（５）を通じて、スピーカー（３）に伝わり、音が鳴るという仕組みである。この時に鳴る音はなんでもいいのだが、いわゆる『手洗い時間の目安』とされる１５秒程度の長さのメロディーが流れる。
【符号の説明】
【０００８】  （１）受け皿、（２）基盤、（３）スピーカー、（４）電池入れ、（５）コード、（６）ボトル置き台、（７）スイッチ、（８）ボトル置き台周縁部、（９）ボトル置き台脚部  （１０）受け皿周縁部、（１１）脚部挿入穴、（１２）スプリング、（１３）ハンドソープボトル
【図１】
2011056219.tif 000003
(57)【要約】【課題】従来の手提げバッグのつり紐は、バッグの外側に突出しており、電車の混雑時の乗降時に、つり紐を持つ手の握りが、他人の身体に接触することが度々あり、不快にさせる危険性があった。又は、他人に、身体に触れたと勘違いされる可能性もあった。しかし、これらを防ぐことは、極めて難しいことであった。  本発明は、以上の問題点を解決するための手段を提供する。【解決手段】手提げバッグの内部の壁面に、バンドを、手提げバッグの開口部の縁と、平行して設け、バンドの中央に空間部を有するように、バンドの両端を手提げバッグの内部の壁面に固定し、つり紐をバンドの空間部に上から下へ通し、上方に折り曲げて、つり紐を持つ手の握りが、手提げバッグの開口部から外に出ないようにする。  このように、つり紐を内蔵する手提げバッグは、つり紐は手提げバッグの開口部の縁より下方にあり、持つ手の握りは、手提げバッグの内部にあるので、他人の身体に触れることはなく、痴漢と間違えられて冤罪を負う心配がない。【選択図】図４
2011056205.tif 000002
【特許請求の範囲】
【請求項１】
手提げバッグの内部の壁面に、バンドを、手提げバッグの開口部の縁と平行して設け、バンドの中央に空間部を有するように、バンドの両端をバッグの内部の壁面に固定し、つり紐はバンドの空間部に上から下へ通し、上方へ折り曲げて、つり紐を持つ手の握りが、手提げバッグの開口部の上方の外部に出ないようにするつり紐内蔵手提げバッグ。
【発明の詳細な説明】
【技術分野】
【０００１】  本発明は、つり紐を、手提げバッグの内側に内蔵し、つり紐を持つ手の握りが、手提げバッグの外に出ないようにした手提げバッグに関するものである。
【背景技術】
【０００２】  従来の手提げバッグのつり紐は、手提げバッグの外側上方に突出しており、電車の混雑時の乗り降りのときに、つり紐を持つ手の握りが、他人の身体に接触することが度々あった。
なお、つり紐が邪魔にならない手提げバッグが、知られている（特許文献１参照）。
【先行技術文献】
【０００３】
【特許文献１】  特許公開２０００−２３６９２６号公報
【発明の概要】
【発明が解決しようとする課題】
【０００４】  手提げバッグのつり紐を持つ手の握りが、電車の混雑時に他人の身体に接触して、相手に不快にさせる危険性がある。また、他人の身体に接触することにより痴漢と間違われて冤罪を負う心配がある。
本発明は、以上の問題点を解決するためになされたものである。
【課題を解決するための手段】
【０００５】  手提げバッグの内部の壁面に、バンドを、手提げバッグの開口部の縁と平行に設け、バンドの中央に，つり紐の両端の固定部の間隔の長さの空間部を有するように、バンドの両端をバッグの内部の壁面に固定し、つり紐はバンドの空間部に上から下へ通し、上方へ折り曲げて、つり紐を持つ手の握りが手提げバッグの外に出ないようにする。
以上の構成からなる、つり紐内蔵手提げバッグ。
【発明の効果】
【０００６】  車中の混雑時、手提げバッグを持つ手の握りが、手提げバッグの中に入ってい、るので、持つ手の握りが他人の身体に接触することがなく、痴漢等の冤罪から防止できる。
また、つり紐を持つ手の握りが、手提げバッグの中にあるので、手提げバッグに入れた内容物が他人には見え難く、内容物を盗られることも防げる。
さらに、つり紐が手提げバッグの中に格納されるので、手提げバッグの外部に、つり紐が突出している見苦しさはない。
【図面の簡単な説明】
【０００７】
【図１】本発明の手提げバッグの正面図
【図２】本発明の斜視図
【図３】本発明の断面図
【図４】本発明の使用状態を示す斜視図
【発明を実施するための形態】
【０００８】  以下、本発明の実施の形態を説明する。
（イ）手提げバッグ本体（３）の内部の壁面に、バンド（４）を手提げバッグ（３）の開口部の縁（７）と平行して設け、バンド（４）の中央に、つり紐（１）の両端の固定部（５）の間隔の長さの空間部（６）を有するように、バンド（４）の両端を手提げバッグ本体（３）の内部の壁面に、バンド両端を固定した固定部（５）を設ける。
（ロ）バンド（４）は、つり紐（１）の固定部（２）より下方に位置させる。
（ハ）手提げバッグ（３）の両側のつり紐１を、各バンド（４）の空間部（６）に、つり紐（１）を上から下に通し、上方に折り曲げる。
（ニ）バンド（４）の空間部（６）を通して、上に折り曲げた部分のつり紐（１）は、同時に両方のつり紐を持つ手で握れる長さとする。
（ホ）バンド（４）は、手提げバッグ（３）の開口部の縁（７）から、バンド（４）の下部の縁（９）までの距離（Ｄ）が、手提げバッグ（３）の開口部の縁（７）から、つり紐（１）を上方に伸ばした時の頂点（１０）までの垂直距離（Ｈ）の、二分の一より大きくなるように、手提げバッグ（３）の内部の壁面に、バンド（４）の固定部（５）を固定する。
（ヘ）手提げバッグ（３）のつり紐（１）を握って持ち上げる際、手提げバッグ（３）が撓まないように、手提げバッグ（３）または、バンド（４）の材質を、撓まない材質とする。
（ト）バンド（４）を、撓まない材質を用いて、バンド（４）の上部の縁（８）が、手提げバッグ本体（３）のつり紐（１）の固定部（２）に達するまでの幅にすることで、手提げバッグ（３）の上部の壁面の部分が撓まないので持つ手の握り手（１１）が、手提げバッグ（３）の内部に維持できる。
本発明は以上のような構造である。
本発明を使用するときは、手提げバッグ（３）の両側のつり紐（１）を、バンド（４）の空間部（６）に、夫々、上から下に通し、上方へ折り曲げて、両方のつり紐（１）を掴み、手提げバッグ（３）のつり紐（１）を持つ手の握り（１１）が手提げバッグ（３）の内部にあるので、持つ手の握り（１１）が手提げバッグ（３）の開口部から外に出ないので、電車の乗り降りの混雑時でも、他人の身体に、持つ手の握り（１１）が触れることはない。
【符号の説明】
【０００９】（１）つり紐、（２）固定部、（３）手提げバッグ本体、（４）バンド、（５）固定部、（６）空間部、（７）手提げバッグ本体の上部の縁、（８）バンドの上側の縁、（９）バンドの下側の縁、（１０）頂点、（１１）手提げバッグの持ち手の握り、（Ｈ）手提げバッグ（３）の開口部の縁（７）から、つり紐（１）を上方に伸ばした時の頂点（１０）までの垂直距離、（Ｄ）バンド（４）の下部の、つり紐（１）を折り曲げる縁（８）から、手提げバッグ本体（３）の開口部の縁（７）までの距離
【図１】
2011056205.tif 000003
【図２】
2011056205.tif 000004
【図３】
2011056205.tif 000005
【図４】
2011056205.tif 000006
(57)【要約】【課題】線香立ての残滓を灰の飛散を防止し、簡便に取り除き、線香立ての灰をきれいにする掃除具を提供する。【解決手段】底に穴を設けた下部本体にふるいとなる網を固定し、線香立ての灰を取手を用いて掬い、蓋となる上部本体を被せ、ふるいにかけることにより灰の飛散を防止し、線香の残滓を掃除する器具である。【選択図】図１
2011056206.tif 000002
【特許請求の範囲】
【請求項１】
底に穴を設けた下部本体に、ふるいとなる網を固定し、蓋となる上部本体を被せ、線香立ての灰をふるいにかける事を特徴とする。
【請求項２】
網に取手を設けた事を特徴とする。請求項１記載の線香の残滓を掃除する器具である。
【発明の詳細な説明】
【技術分野】
【０００１】本発明は、線香立ての残滓を取り除き、灰をふるいにかける掃除具に関するものである。
【背景技術】
【０００２】従来、線香立ての中でふるいにかける器具や灰を移しかえる器具があった。
【先行技術文献】
【０００３】
【特許文献１】  特開２００７−１７５４７２
【特許文献２】  特開２００６−１７５１８４
【発明の概要】
【発明が解決しようとする課題】
【０００４】線香立ての残滓を掃除するには、灰の飛散防止解決は不可欠であり、又頻繁に掃除する器具として簡便性の追求と、使用後の器具の設置方法も考慮すると、課題を解決するには至っていない。
本発明は、これらの問題点を解決するためになされたものである。
【課題を解決するための手段】
【０００５】底に穴を設けた下部本体と網を固定し、ふるいにしたもので、線香立ての灰を掬い、上部本体を蓋にして、線香立ての上でふるいにかける事により線香の残滓を取り除く。
以上の構造による線香の残滓を掃除する器具である。
【発明の効果】
【０００６】ふるいとなる下部本体の底より灰が落ちる事、及び上部本体に蓋を設ける事により、灰の飛散防止は効果的であり、器具の簡便性はいうまでもなく、使用後の保管は上部本体を受け皿として使用する事により灰の落下を防ぎ置き場所に苦慮する事もない。
【図面の簡単な説明】
【０００７】
【図１】本発明の請求項２記載の使用状態を示す斜視図
【図２】本発明の請求項１記載の使用状態を示す斜視図
【図３】本発明の蓋となる上部本体の斜視図
【図４】本発明の網を固定した取手付き下部本体の斜視図
【図５】本発明の網を固定した下部本体の斜視図
【発明を実施するための形態】
【０００８】以下、本発明の実施のための形態について説明する。
（イ）底に穴（４）を設け、取手（５）のついたふるいとなる網（３）を固定した下部本体（２）を設ける。
（ロ）下部本体（２）の蓋となる上部本体（１）を被せる。
本発明は以上のような構成で、これを使用するときは、ふるいとなる網（３）を固定した下部本体（２）の取手（５）を用いて、線香立ての灰を掬い、蓋となる上部本体（１）を被せ、上下ずれないよう固定したら、線香立ての上でふるいにかける。残滓は上部本体（１）がアクリル樹脂等透明なプラスティックを用いる事で確認可能であり、灰の飛散防止に効果的で、残滓を捨てた後は、上部本体（１）を受け皿として、下部本体（２）の穴（４）からの灰の落下を防ぎ保管できる。
【符号の説明】
【０００９】１  上部本体
２  下部本体
３  網
４  穴
５  取手
６  凹部
【図１】
2011056206.tif 000003
【図２】
2011056206.tif 000004
【図３】
2011056206.tif 000005
【図４】
2011056206.tif 000006
【図５】
2011056206.tif 000007
(57)【要約】【課題】楊枝を使用する際、自分が使用している楊枝がどれか判別しやすくする。【解決手段】楊枝に楊枝キャップをかぶせる。従来の木の楊枝に色をつける。    １．あらかじめ工場などで塗料などで色を塗布    ２．使用者が色分けスタンプ台で楊枝に色を塗布楊枝の柄の部分（持つほう）を変形する。楊枝の柄の部分（持つほう）に、色柄の異なるシールを貼る。【選択図】図１
2011056203.tif 000002
【特許請求の範囲】
【請求項１】
楊枝キャップ、楊枝の色分け・異なる形状・シール状の物を使った楊枝、色分けスタンプに関するもの。
【発明の詳細な説明】
【技術分野】
【０００１】本発明は、楊枝に関するもので、キャップやスタンプ、塗料、シールをを使用し、色分けしたり、異形状にしたり、シールを貼ることによって、楊枝の使用者を判別しやすくするものである。
【背景技術】
【０００２】楊枝を使用するときに多いのは、果物や漬物を大皿に盛ってそれぞれの楊枝で食べるが、その際、どれがだれの楊枝かわからない時が度々ある。
【発明の概要】
【発明が解決しようとする課題】
【０００３】楊枝を使用する際、自分が使用した楊枝がどれか判別しやすくする。
食べ物も楊枝も、同じ形・色だからわかりづらいのでは？
【課題を解決するための手段】
【０００４】従来の木の楊枝の柄の部分（持つほう）にあらゆる色のキャップをかぶせる。楊枝の柄の部分（持つほう）にあらかじめ、あらゆる色を塗布し色分けする。楊枝の柄の部分（持つほう）を変形する。楊枝の柄の部分（持つほう）に色や模様の異なるシールを貼る。シールには名前や絵を書くことができるようにする。色なしの楊枝の他に、スタンプ台を付け、使用者が使用前に１本ずつ色分けする。
【発明の効果】
【０００５】パッと見て、色・形・模様などが異なるので、判別し易い。
【産業上の利用可能性】
【０００６】従来の楊枝に、色を付けたり、シール状の物をつける、キャップをかぶせるのであれば、大がかりにならず、容易に取り入れることができるのでは？
【発明を実施するための形態】
【０００７】図１のｂ・ｃの斜線部分に色を付ける。色は何十色かで、多いほうが判別し易くなるので良いと思われる。使用する人数が極端に多い場合は、シール状の物に名前や判別し易い模様などを書くと良い。
ｅ・ｆはｄの側面図２種類で、ｅは平面、ｆは球体である。
ｇ・ｈ・ｉ・ｊは、ｄの持つ部分の変形型である。
ｋ・ｌ・ｍ・ｎ・ｏはシール状のもので、内側に粘着剤を塗布する。
基本のｋにあらゆる形状のモチーフをつけても良い。
ｐは楊枝にシール状の物を貼りつけたところである。
ｑは楊枝キャップで、プラスチック・シリコーンなどの適宜素材で作る。
楊枝キャップは内側が空洞で、帽子のようになっており、楊枝にかぶせ使う。使用者が使用するその都度、楊枝をキャップに入れて使う。
ｒはスタンプ台で、速乾性のインクを使用する。中心部に楊枝より少し大きいくぼみがあって、そこに楊枝を入れることで楊枝の柄の側面に色を塗布する。使用前にそれぞれの楊枝に異なる色を付けて使用する。
【図面の簡単な説明】
【０００８】
【図１】本発明の（請求項１）に関する図
【符号の説明】
【０００９】ａ  普通の楊枝
ｂ  楊枝（斜線部分に色を塗ったもの）
ｃ  楊枝（斜線部分に色を塗ったもの）
ｄ  楊枝（持つところを球型にしたもの）
ｅ  楊枝（ｄの側面図）
ｆ  楊枝（ｄの側面図）
ｇ  ｄの持つ部分の変形型
ｈ  ｄの持つ部分の変形型
ｉ  ｄの持つ部分の変形型
ｊ  ｄの持つ部分の変形型
ｋ  シール状のもの（内側に粘着剤を塗布）
ｌ  シール状のもの（内側に粘着剤を塗布）
ｍ  シール状のもの（内側に粘着剤を塗布）
ｎ  シール状のもの（内側に粘着剤を塗布）
ｏ  シール状のもの（内側に粘着剤を塗布）
ｐ  楊枝にシール状のものを貼ったところ
ｑ  楊枝キャップ（キャップに楊枝を入れるところ）
ｒ  色分け用スタンプ台（上面図）
ｓ  色分け用スタンプ台（側面図）
【図１】
2011056203.tif 000003
(57)【要約】【課題】  空気中に浮遊している新インフル菌や花粉等を自在に除去し、鼻腔内に冷却酸素を送り込むようにした、シリコーンゴムマスクを提供する。【解決手段】  マスク型に形成された、厚さ０．５ｍｍの特性あるシリコーンゴムマスクを設け、密接性、耐寒性、非粘着性に優れたマスク外面より、新インフル菌を自在に除去し、冷却酸素を鼻腔内に送り込むことを特徴とするシリコーンゴムマスクである。【選択図】図１
2011056210.tif 000002
【特許請求の範囲】
【請求項１】
マスク型に形成された、厚さ０．５ｍｍの特性あるシリコーンゴムマスクを設け、密接性、耐寒性、非粘着性に優れたマスク外面より、新インフル菌を自在に除去し、冷却酸素を鼻腔内に送り込むことを特徴とするシリコーンゴムマスク。
【発明の詳細な説明】
【技術分野】
【０００１】  本発明は、空気中に浮遊している新インフル菌や花粉等を自在に除去し、鼻腔内に冷却酸素を送り、半透明に顔の見えるシリコーンゴムマスクに関するものである。
【背景技術】
【０００２】  従来は、ガーゼマスクより、一躍化学繊維マスクになり、その効果、効能は、未だ解明されていないのである。但ウイルス細菌捕集効率に力を入れ競っているに過ぎないのである。
【発明の開示】
【発明が解決しようとする課題】
【０００３】  そのために次のような問題点があった。
（イ）寒暖の差もなく新インフルは、猛威を振るい続けているのである。
病院内に勤務する看護士は、マスク着用は、熱苦しいと嘆く声が聞こえていた。
それ故に医療ミスが、主として注射チェックの誤り等が現在大きく問題化され公開放送されていたのである。
（ロ）ウイルス、細菌の捕集効率を競い合う事により、マスク内に充満する二酸化炭素の重い気体に熱が発生し捌け口のない、前記二酸化炭素を長時間呼吸することにより、冷却効果がなくなり脳内温度が上がり、そのため脳却風邪で熱がでているのと同じ状態になり、集中力が低下する原因になることが、医師会で公称されているのである。
本発明は以上の問題点を解決しようとするものである。
【課題を解決するための手段】
【０００４】  マスク型に形成された、厚さ０．５ｍｍの特性あるシリコーンゴムマスクを設け、密接性、耐寒性、非粘着性に優れたマスク外面より、新インフル菌を自在に除去し、冷却酸素を鼻腔内に送り込むことを特徴とするシリコーンゴムマスクである。
【発明の効果】
【０００５】  上述したように本発明は、密接性、耐寒性、非粘着性を有する顔の見える半透明シリコーンゴム１枚を立体形マスクに使用したものであり、非粘着性の外面より新インフル菌を自在に除去することができ、また、極寒においても柔軟性を保持でき、炎症防止に効果を発揮するものである。また、化繊マスクのむさくるしさより解放できる。
【図面の簡単な説明】
【０００６】
【図１】  本発明の斜視図
【図２】  本発明の使用状況を示す説明図
【図３】  従来マスクの使用状況を示す説明図
【発明を実施するための形態】
【０００７】  以下、本発明の実施形態を説明する。
（イ）非粘着性シリコーンゴムを厚さ０．５ｍｍの立体形マスクに形成する。
（ロ）本発明は以上のような構造で、これを使用するときは、柔軟性非粘着性シリコーンゴムの特性を活用し、マスク範囲（１Ｂ）より息を吸う際に、徐々に閉じ、吐く時に透き間を形成、繰り返しの可動により、マスク内の二酸化炭素を排出するようにし、マスク内は何時も冷気を保ち鼻腔内に温度が上昇することなく、脳下垂体を冷却し、脳内において集中力の低下する炎症を完全に防止できるのである。
【符号の説明】
【０００８】１    マスク本体
１ａ  半透明シリコーンゴム
１Ｂ  呼吸部
Ａ    従来マスク
２    鼻腔部
３    新インフル菌
４    熱気内部
４ａ  二酸化炭素
５    脳
５ａ  冷却部
５Ｂ  熱気脳
６    脳下垂体
【図１】
2011056210.tif 000003
【図２】
2011056210.tif 000004
【図３】
2011056210.tif 000005
(57)【要約】【課題】特徴のないマスクの為子供には人気がなく使用を阻害しているのが実状である。【解決手段】動物やキャラクターの外形をもったマスクでこの課題を解決した。【選択図】図１
2011056226.tif 000002
【特許請求の範囲】
【請求項１】
動物やキャラクターの外形をもったマスク。
【発明の詳細な説明】
【技術分野】
【０００１】特殊な形状をしたマスクに関する。
【背景技術】
【０００２】従来のマスクは四角形などの特徴にないマスクが存在している。
【発明の概要】
【発明が解決しようとする課題】
【０００３】上記のような特徴のないマスクの為子供には人気がなく使用を阻害しているのが実状である。
【課題を解決するための手段】
【０００４】動物やキャラクターの外形をもったマスクでこの課題を解決した。
【発明の効果】
【０００５】子供に人気をはくし、インフルエンザ流行時には率先してマスク着用することになった。
【図面の簡単な説明】
【０００６】
【図１】は本発明の形状の一例を示す。
【発明を実施するための形態】
【０００７】布は抗菌性の材料を使用し形状は図１に示すようにクマの形状にして子供の好みに合うようにしてある。
【図１】
2011056226.tif 000003
(57)【要約】【課題】  従来、授乳時に多量の汗をかく乳幼児の枕を清潔に保ち、抱っこしたり寝かしつけたりする際の母親の腕への負担を軽減し、枕の下の腕の抜き差しをスムーズに出来る授乳用抱っこ枕を提供する。【解決手段】  ２枚の生地を縞状に縫い目を入れ、縫い目と縫い目の生地の間に綿を入れ、複数個のクッション単位に区切られたクッション部を形成し、両端のクッション単位を結合し、腕が２本入る程の大きさの筒状に形成された事を特徴とする授乳用抱っこ枕。【選択図】図１
2011056230.tif 000002
【特許請求の範囲】
【請求項１】
２枚の生地を縞状に縫い目を入れ、縫い目と縫い目の生地の間に綿を入れ、複数個のクッション単位に区切られたクッション部を形成し、両端のクッション単位を結合し、腕が２本入る程の大きさの筒状に形成された事を特徴とする授乳用抱っこ枕。
【発明の詳細な説明】
【技術分野】
【０００１】  本発明は、乳幼児の授乳時の汗や腕への負担を軽減し、授乳から寝付かせるまでの動作を楽にする為の枕に関するものである。
【背景技術】
【０００２】  アームカバーの様に腕に装着して使用する授乳用の腕カバーがありました。
【先行技術文献】
【０００３】
【特許文献１】  特開２００２−２３５２２０号公報
【発明の概要】
【発明が解決しようとする課題】
【０００４】  従来品では、片腕に装着する為、授乳時の右側⇔左側への移動が困難であり、汗でカバーが濡れた時や、ミルクを吐いてカバーが汚れてしまった時など、片手で着脱して新しいものと交換する事は出来なかった。
本発明は、以上の問題点を解決する為になされたものである。
【課題を解決するための手段】
【０００５】  ２枚の生地を縞状に縫い目を入れ、縫い目と縫い目の生地の間に綿を入れ、複数個のクッション単位に区切られたクッション部を形成し、両端のクッション単位を結合し、腕が２本入る程の大きさの筒状に形成された事を特徴とする授乳用抱っこ枕である。
【発明の効果】
【０００６】（イ）  腕が２本入る事で、左右の腕への移動が楽に出来る。
（ロ）  筒状にする事で汗をかいた時は、濡れていない面に回して、授乳終了まで快適な      状態を保てる。
（ハ）  縞状に生地に縫い目を入れる事で、洗濯機による綿のズレを防ぐ。
（ニ）  筒状にする事で、洗濯・乾燥時の乾きを早く出来る。
（ホ）  綿を入れる事で、腕への負担が軽減出来る。
（ヘ）  綿を入れる事で、授乳中に乳幼児が眠ってしまっても、枕から腕を抜くだけで、      そのまま枕として使える。
（ト）  床に就く瞬間に目覚めやすい乳幼児をなるべく動かさずにすむので、比較的楽に      寝付かせる事が出来る。
（チ）  腕が２本入る事で、他者への抱っこの交代を乳幼児に気付かれにくく行う事が出      来る。
（リ）  本発明は、乳幼児の成長後は、熱を出しやすい幼児から大人までアイスノンカバ      ーとしても使用出来ます。
（ヌ）  ファスナーやマジックテープ（登録商標）などの付属品を付けない事で、洗濯時      にネットに入れなくても、洗濯機や他の衣類を傷つける事がありません。
【図面の簡単な説明】
【０００７】
【図１】  本発明の斜視図
【図２】  本発明の一部断面図
【発明を実施するための形態】
【０００８】  以下、本発明の実施の形態を説明する。
（イ）  ２枚の生地（３）を合わせて縞状の縫い目（５）を入れる。
（ロ）  縞状の縫い目（５）を入れた２枚の生地（３）の間に、枕として使う時に乳幼児      の首に負担がかからないちょうどいい高さになる様に綿（４）を入れる。
（ハ）  綿（４）が出ない様に両端を縫う。
（ニ）  腕が２本入る程の大きさの筒状になるように結合する。
本発明は以上の様な構造である。
本発明を使用する時は、腕通し穴（１）に片腕を通し、乳幼児の首および身体がしっかりと保護できる様に装着して授乳を開始する。
乳幼児が汗をかいた時は、枕を装着していない腕で乳幼児をしっかりと支えます。装着している腕の手首をひねり、枕のへりを掴んでクルリと回し、汚れていないクッション単位（２）を乳幼児の後頭部の下にくるように移動させる。
腕・抱っこを交代する時は、乳幼児を装着している腕でしっかりと支え、反対側の腕通し穴（１）から腕を入れて、乳幼児をしっかりと支えたら、装着していた腕を抜く。
洗濯・乾燥は、通常の洗濯物と同じで洗濯機に入れて洗い、干して乾燥させます。
【符号の説明】
【０００９】（１）  腕通し穴
（２）  クッション単位
（３）  生地
（４）  綿
（５）  縞状の縫い目
【図１】
2011056230.tif 000003
【図２】
2011056230.tif 000004